(57)【要約】  本発明は、ネットワーク状態情報ディスプレイ方法および装置を提供し、ネットワーク技術分野に属する。前記方法は、ルーティング機器の各帯域幅占用アイテムのリアルタイムな帯域幅占用情報を取得するステップと、前記各帯域幅占用アイテムのリアルタイムな帯域幅占用情報に基づいて、前記ルーティング機器のネットワーク状態情報を生成するステップと、前記ルーティング機器のネットワーク状態情報を所定の機器に送信してディスプレイさせるステップとを含み、前記帯域幅占用アイテムは、前記ルーティング機器におけるネットワークサービスと、前記ルーティング機器にアクセスされた少なくとも１つの電子機器とを含む。本発明では、ルーティング機器が自体の実際に占用された帯域幅を統計することにより、リアルタイムな帯域幅占用状況を表せるネットワーク状態情報を取得し、当該ネットワーク状態情報を端末に提供するため、ネットワーク状態を透明化させ、ネットユーザへのミスリードを回避する。【選択図】図１
2018503271.tif 000002
【特許請求の範囲】
【請求項１】
ルーティング機器の各帯域幅占用アイテムのリアルタイムな帯域幅占用情報を取得するステップと、
前記各帯域幅占用アイテムのリアルタイムな帯域幅占用情報に基づいて、前記ルーティング機器のネットワーク状態情報を生成するステップと、
前記ルーティング機器のネットワーク状態情報を所定の機器に送信してディスプレイさせるステップと、を含み、
前記帯域幅占用アイテムは、前記ルーティング機器におけるネットワークサービスと、前記ルーティング機器にアクセスされた少なくとも１つの電子機器とを含むことを特徴とするネットワーク状態情報ディスプレイ方法。
【請求項２】
各帯域幅占用アイテムのリアルタイムな帯域幅占用情報に基づいて、前記ルーティング機器のネットワーク状態情報を生成するステップは、
前記帯域幅占用アイテムごとに、前記帯域幅占用アイテムのリアルタイムな帯域幅占用情報の和を求めて前記帯域幅占用アイテムのネットワーク状態情報を取得するステップと、
前記各帯域幅占用アイテムのネットワーク状態情報を統合して前記ルーティング機器のネットワーク状態情報を取得するステップと、を含むことを特徴とする請求項１に記載のネットワーク状態情報ディスプレイ方法。
【請求項３】
前記ルーティング機器の各帯域幅占用アイテムのリアルタイムな帯域幅占用情報を取得するステップは、
前記ルーティング機器におけるネットワークサービスを走査して、各ネットワークサービスのリアルタイムな帯域幅情報を取得するステップと、
前記ルーティング機器と前記ルーティング機器にアクセスされた少なくとも１つの電子機器との間のネットワークポートを走査して、前記少なくとも１つの電子機器のリアルタイムな帯域幅情報を取得するステップと、を含むことを特徴とする請求項１に記載のネットワーク状態情報ディスプレイ方法。
【請求項４】
前記ルーティング機器の各帯域幅占用アイテムのリアルタイムな帯域幅占用情報を取得するステップは、
前記所定の機器により送信されたネットワーク状態情報取得要求を受信すると、ルーティング機器の各帯域幅占用アイテムのリアルタイムな帯域幅占用情報を取得するステップ、または、
予め設定された周期ごとに、ルーティング機器の各帯域幅占用アイテムのリアルタイムな帯域幅占用情報を取得するステップを含むことを特徴とする請求項１に記載のネットワーク状態情報ディスプレイ方法。
【請求項５】
前記ルーティング機器のネットワーク状態情報を所定の機器へ送信した後、
いずれかの帯域幅占用アイテムに対する、前記帯域幅占用アイテムをオフするための調節指令を受信すると、前記帯域幅占用アイテムをオフするステップをさらに含むことを特徴とする請求項１に記載のネットワーク状態情報ディスプレイ方法。
【請求項６】
前記リアルタイムな帯域幅占用情報は、アップロード速度とダウンロード速度との和を示すことを特徴とする請求項１乃至５のうちのいずれか一項に記載のネットワーク状態情報ディスプレイ方法。
【請求項７】
ルーティング機器のネットワーク状態情報を受信するステップと、
前記ルーティング機器のネットワーク状態情報をディスプレイするステップと、を含むことを特徴とするネットワーク状態情報ディスプレイ方法。
【請求項８】
前記ルーティング機器のネットワーク状態情報をディスプレイするステップは、
前記ルーティング機器のネットワーク状態情報における異なる帯域幅占用アイテムに基づいて、異なる帯域幅占用アイテムのネットワーク状態情報をそれぞれディスプレイするステップを含むことを特徴とする請求項７に記載のネットワーク状態情報ディスプレイ方法。
【請求項９】
前記ルーティング機器のネットワーク状態情報をディスプレイする際に、ネットワーク状態情報における各帯域幅占用アイテムに対する、帯域幅占用状況を調節するするための調節オプションを提供するステップと、
いずれかの帯域幅占用アイテムの調節オプションに対するトリガ動作を検出すると、前記トリガ動作に対応する帯域幅占用アイテムをオフするための調節指令を前記ルーティング機器へ送信するステップと、を含むことを特徴とする請求項７に記載のネットワーク状態情報ディスプレイ方法。
【請求項１０】
ルーティング機器のネットワーク状態情報を受信する前に、
ルーティング機器がネットワーク状態情報を返信するように、ネットワーク状態情報取得要求を前記ルーティング機器へ送信するステップをさらに含むことを特徴とする請求項７に記載のネットワーク状態情報ディスプレイ方法。
【請求項１１】
ルーティング機器の各帯域幅占用アイテムのリアルタイムな帯域幅占用情報を取得する取得モジュールと、
前記取得モジュールにより取得された各帯域幅占用アイテムのリアルタイムな帯域幅占用情報に基づいて、前記ルーティング機器のネットワーク状態情報を生成する生成モジュールと、
前記生成モジュールにより生成された前記ルーティング機器のネットワーク状態情報を所定の機器に送信してディスプレイさせる送信モジュールと、を備え、
前記帯域幅占用アイテムは、前記ルーティング機器におけるネットワークサービスと、前記ルーティング機器にアクセスされた少なくとも１つの電子機器とを含むことを特徴とするネットワーク状態情報ディスプレイ装置。
【請求項１２】
前記生成モジュールは、帯域幅占用アイテムごとに、前記帯域幅占用アイテムのリアルタイムな帯域幅占用情報の和を求めて前記帯域幅占用アイテムのネットワーク状態情報を取得し、前記各帯域幅占用アイテムのネットワーク状態情報を統合して前記ルーティング機器のネットワーク状態情報を取得することを特徴とする請求項１１に記載のネットワーク状態情報ディスプレイ装置。
【請求項１３】
前記取得モジュールは、前記ルーティング機器におけるネットワークサービスを走査して、各ネットワークサービスのリアルタイムな帯域幅情報を取得し、前記ルーティング機器と前記ルーティング機器にアクセスされた少なくとも１つの電子機器との間のネットワークポートを走査して、前記少なくとも１つの電子機器のリアルタイムな帯域幅情報を取得することを特徴とする請求項１１に記載のネットワーク状態情報ディスプレイ装置。
【請求項１４】
前記取得モジュールは、
前記所定の機器により送信されたネットワーク状態情報取得要求を受信すると、ルーティング機器の各帯域幅占用アイテムのリアルタイムな帯域幅占用情報を取得し、または、
予め設定された周期ごとに、ルーティング機器の各帯域幅占用アイテムのリアルタイムな帯域幅占用情報を取得することを特徴とする請求項１１に記載のネットワーク状態情報ディスプレイ装置。
【請求項１５】
いずれかの帯域幅占用アイテムに対する、前記帯域幅占用アイテムをオフするための調節指令を受信すると、前記帯域幅占用アイテムをオフする処理モジュールをさらに備えることを特徴とする請求項１１に記載のネットワーク状態情報ディスプレイ装置。
【請求項１６】
前記リアルタイムな帯域幅占用情報は、アップロード速度とダウンロード速度との和を示すことを特徴とする請求項１１乃至１５のうちのいずれか一項に記載のネットワーク状態情報ディスプレイ装置。
【請求項１７】
ルーティング機器のネットワーク状態情報を受信する受信モジュールと、
前記受信モジュールにより受信された前記ルーティング機器のネットワーク状態情報をディスプレイするディスプレイモジュールと、を備えることを特徴とするネットワーク状態情報ディスプレイ装置。
【請求項１８】
前記ディスプレイモジュールは、前記ルーティング機器のネットワーク状態情報における異なる帯域幅占用アイテムに基づいて、異なる帯域幅占用アイテムのネットワーク状態情報をそれぞれディスプレイすることを特徴とする請求項１７に記載のネットワーク状態情報ディスプレイ装置。
【請求項１９】
前記受信モジュールにより受信された前記ルーティング機器のネットワーク状態情報をディスプレイする際に、ネットワーク状態情報における各帯域幅占用アイテムに対する、帯域幅占用状況を調節するための調節オプションを提供する提供モジュールと、
前記提供モジュールにより提供されたいずれかの帯域幅占用アイテムの調節オプションに対するトリガ動作を検出すると、前記トリガ動作に対応する帯域幅占用アイテムをオフするための調節指令を前記ルーティング機器へ送信する第１の送信モジュールと、をさらに備えることを特徴とする請求項１７に記載のネットワーク状態情報ディスプレイ装置。
【請求項２０】
ルーティング機器がネットワーク状態情報を返信するように、ネットワーク状態情報取得要求を前記ルーティング機器へ送信する第２の送信モジュールをさらに備えることを特徴とする請求項１７に記載のネットワーク状態情報ディスプレイ装置。
【請求項２１】
プロセッサと、
プロセッサの実行可能な指令を記憶するためのメモリと、を備え、
前記プロセッサは、
ルーティング機器の各帯域幅占用アイテムのリアルタイムな帯域幅占用情報を取得し、
前記各帯域幅占用アイテムのリアルタイムな帯域幅占用情報に基づいて、前記ルーティング機器のネットワーク状態情報を生成し、
前記ルーティング機器のネットワーク状態情報を所定の機器に送信してディスプレイさせるように構成され、
前記帯域幅占用アイテムは、前記ルーティング機器におけるネットワークサービスと、前記ルーティング機器にアクセスされた少なくとも１つの電子機器とを含むことを特徴とするネットワーク状態情報ディスプレイ装置。
【請求項２２】
プロセッサと、
プロセッサの実行可能な指令を記憶するためのメモリと、を備え、
前記プロセッサは、
ルーティング機器のネットワーク状態情報を受信し、
前記ルーティング機器のネットワーク状態情報をディスプレイするように構成されることを特徴とするネットワーク状態情報ディスプレイ装置。
【発明の詳細な説明】
【技術分野】
【０００１】
本発明は、ネットワーク技術分野に関し、特にネットワーク状態情報ディスプレイ方法および装置に関する。
【背景技術】
【０００２】
ネットワーク技術の継続的な発展に伴い、ネットワークカバレッジシーンが富んでいき、家庭またはオフィススペース等において、ルーティング機器によりネットワーキング動作を行うように、一般的にルーティング機器をネットワークアクセス装置として採用する。しかしながら、ルーティング機器の利用中に、下記のような状況がよく現われる。例えば、ルーティング機器の最大帯域幅が１０Ｍ/ｓであるが、ルーティング機器におけるネットワークの動きが多いため、ルーティング機器により提供された実際の利用帯域幅が１０Ｍ/ｓに達すことができず、ユーザのダウンロード速度が遅くなる。しかし、その原因を明確に知ることができず、情報の透明性が低いため、ネットワークの利用は、ユーザの実際のニーズを満たすことができない。したがって、高透明性を有するネットワーク状態情報ディスプレイ方法を HYPERLINK "http://cjjc.weblio.jp/content/%E6%97%A9%E6%80%A5" \o "早急" 早急に提出する必要がある。
【発明の概要】
【発明が解決しようとする課題】
【０００３】
本発明は、ネットワーク状態情報ディスプレイ方法および装置を提供する。
【課題を解決するための手段】
【０００４】
本発明の実施例の第１の態様によれば、ネットワーク状態情報ディスプレイ方法を提供する。当該方法は、
ルーティング機器の各帯域幅占用アイテムのリアルタイムな帯域幅占用情報を取得するステップと、
前記各帯域幅占用アイテムのリアルタイムな帯域幅占用情報に基づいて、前記ルーティング機器のネットワーク状態情報を生成するステップと、
前記ルーティング機器のネットワーク状態情報を所定の機器に送信してディスプレイさせるステップと、を含み、
前記帯域幅占用アイテムは、前記ルーティング機器におけるネットワークサービスと、前記ルーティング機器にアクセスされた少なくとも１つの電子機器とを含む。
【０００５】
第１の態様を組み合わせて、第１の態様の第1種可能な実施形態において、各帯域幅占用アイテムのリアルタイムな帯域幅占用情報に基づいて、前記ルーティング機器のネットワーク状態情報を生成するステップは、
前記帯域幅占用アイテムごとに、前記帯域幅占用アイテムのリアルタイムな帯域幅占用情報の和を求めて前記帯域幅占用アイテムのネットワーク状態情報を取得するステップと、
前記各帯域幅占用アイテムのネットワーク状態情報を統合して前記ルーティング機器のネットワーク状態情報を取得するステップと、を含む。
【０００６】
第１の態様のいずれかの好適な実施形態を組み合わせて、第１の態様の第２種可能な実施形態において、前記ルーティング機器の各帯域幅占用アイテムのリアルタイムな帯域幅占用情報を取得するステップは、
前記ルーティング機器におけるネットワークサービスを走査して、各ネットワークサービスのリアルタイムな帯域幅情報を取得するステップと、
前記ルーティング機器と前記ルーティング機器にアクセスされた少なくとも１つの電子機器との間のネットワークポートを走査して、前記少なくとも１つの電子機器のリアルタイムな帯域幅情報を取得するステップと、を含む。
【０００７】
第１の態様のいずれかの好適な実施形態を組み合わせて、第１の態様の第３種可能な実施形態において、前記ルーティング機器の各帯域幅占用アイテムのリアルタイムな帯域幅占用情報を取得するステップは、
前記所定の機器により送信されたネットワーク状態情報取得要求を受信すると、ルーティング機器の各帯域幅占用アイテムのリアルタイムな帯域幅占用情報を取得するステップ、または、
予め設定された周期ごとに、ルーティング機器の各帯域幅占用アイテムのリアルタイムな帯域幅占用情報を取得するステップを含む。
【０００８】
第１の態様のいずれかの好適な実施形態を組み合わせて、第１の態様の第４種可能な実施形態において、前記ルーティング機器のネットワーク状態情報を所定の機器へ送信した後に、前記方法は、
いずれかの帯域幅占用アイテムに対する、前記帯域幅占用アイテムをオフするための調節指令を受信すると、前記帯域幅占用アイテムをオフするステップをさらに含む。
【０００９】
第１の態様のいずれかの好適な実施形態を組み合わせて、第１の態様の第５種可能な実施形態において、前記リアルタイムな帯域幅占用情報は、アップロード速度とダウンロード速度との和を示す。
【００１０】
本発明の実施例の第２の態様によれば、ネットワーク状態情報ディスプレイ方法を提供する。当該方法は、
ルーティング機器のネットワーク状態情報を受信するステップと、
前記ルーティング機器のネットワーク状態情報をディスプレイするステップと、を含む。
【００１１】
第２の態様を組み合わせて、第２の態様の第１種可能な実施形態において、前記ルーティング機器のネットワーク状態情報をディスプレイするステップは、
前記ルーティング機器のネットワーク状態情報における異なる帯域幅占用アイテムに基づいて、異なる帯域幅占用アイテムのネットワーク状態情報をそれぞれディスプレイするステップを含む。
【００１２】
第２の態様のいずれかの好適な実施形態を組み合わせて、第２の態様の第２種可能な実施形態において、
前記ルーティング機器のネットワーク状態情報をディスプレイする際に、ネットワーク状態情報における各帯域幅占用アイテムに対する、帯域幅占用状況を調節するための調節オプションを提供するステップと、
いずれかの帯域幅占用アイテムの調節オプションに対するトリガ動作を検出すると、前記トリガ動作に対応する帯域幅占用アイテムをオフするための調節指令を前記ルーティング機器へ送信するステップと、を含む。
【００１３】
第２の態様のいずれかの好適な実施形態を組み合わせて、第２の態様の第３種可能な実施形態において、
ルーティング機器のネットワーク状態情報を受信する前に、前記方法は、
ルーティング機器がネットワーク状態情報を返信するように、ネットワーク状態情報取得要求を前記ルーティング機器へ送信するステップをさらに含む。
【００１４】
本発明の実施例の第３の態様によれば、ネットワーク状態情報ディスプレイ装置を提供する。当該装置は、
ルーティング機器の各帯域幅占用アイテムのリアルタイムな帯域幅占用情報を取得する取得モジュールと、
前記取得モジュールにより取得された各帯域幅占用アイテムのリアルタイムな帯域幅占用情報に基づいて、前記ルーティング機器のネットワーク状態情報を生成する生成モジュールと、
前記生成モジュールにより生成された前記ルーティング機器のネットワーク状態情報を所定の機器に送信してディスプレイさせる送信モジュールと、を備え、
前記帯域幅占用アイテムは、前記ルーティング機器におけるネットワークサービスと、前記ルーティング機器にアクセスされた少なくとも１つの電子機器とを含む。
【００１５】
第３の態様を組み合わせて、第３の態様の第１種可能な実施形態において、前記生成モジュールは、帯域幅占用アイテムごとに、前記帯域幅占用アイテムのリアルタイムな帯域幅占用情報の和を求めて前記帯域幅占用アイテムのネットワーク状態情報を取得し、前記各帯域幅占用アイテムのネットワーク状態情報を統合して前記ルーティング機器のネットワーク状態情報を取得する。
【００１６】
第３の態様のいずれかの好適な実施形態を組み合わせて、第３の態様の第２種可能な実施形態において、前記取得モジュールは、前記ルーティング機器におけるネットワークサービスを走査して、各ネットワークサービスのリアルタイムな帯域幅情報を取得し、前記ルーティング機器と前記ルーティング機器にアクセスされた少なくとも１つの電子機器との間のネットワークポートを走査して、前記少なくとも１つの電子機器のリアルタイムな帯域幅情報を取得する。
【００１７】
第３の態様のいずれかの好適な実施形態を組み合わせて、第３の態様の第３種可能な実施形態において、前記取得モジュールは、前記所定の機器により送信されたネットワーク状態情報取得要求を受信すると、ルーティング機器の各帯域幅占用アイテムのリアルタイムな帯域幅占用情報を取得し、または、予め設定された周期ごとに、ルーティング機器の各帯域幅占用アイテムのリアルタイムな帯域幅占用情報を取得する。
【００１８】
第３の態様のいずれかの好適な実施形態を組み合わせて、第３の態様の第４種可能な実施形態において、
いずれかの帯域幅占用アイテムに対する、前記帯域幅占用アイテムをオフするための調節指令を受信すると、前記帯域幅占用アイテムをオフする処理モジュールをさらに備える。
【００１９】
第３の態様のいずれかの好適な実施形態を組み合わせて、第３の態様の第５種可能な実施形態において、前記リアルタイムな帯域幅占用情報は、アップロード速度とダウンロード速度との和を示す。
【００２０】
本発明の実施例の第４の態様によれば、ネットワーク状態情報ディスプレイ装置を提供する。当該装置は、
ルーティング機器のネットワーク状態情報を受信する受信モジュールと、
前記受信モジュールにより受信された前記ルーティング機器のネットワーク状態情報をディスプレイするディスプレイモジュールと、を備える。
【００２１】
第４の態様を組み合わせて、第４の態様の第１種可能な実施形態において、前記ディスプレイモジュールは、前記ルーティング機器のネットワーク状態情報における異なる帯域幅占用アイテムに基づいて、異なる帯域幅占用アイテムのネットワーク状態情報をそれぞれディスプレイする。
【００２２】
第４の態様のいずれかの好適な実施形態を組み合わせて、第４の態様の第２種可能な実施形態において、前記装置は、
前記受信モジュールにより受信された前記ルーティング機器のネットワーク状態情報をディスプレイする際に、ネットワーク状態情報における各帯域幅占用アイテムに対する、帯域幅占用状況を調節するための調節オプションを提供する提供モジュールと、
前記提供モジュールにより提供されたいずれかの帯域幅占用アイテムの調節オプションに対するトリガ動作を検出すると、前記トリガ動作に対応する帯域幅占用アイテムをオフするための調節指令を前記ルーティング機器へ送信する第１の送信モジュールと、をさらに備える。
【００２３】
第４の態様のいずれかの好適な実施形態を組み合わせて、第４の態様の第３種可能な実施形態において、前記装置は、
ルーティング機器がネットワーク状態情報を返信するように、ネットワーク状態情報取得要求を前記ルーティング機器へ送信する第２の送信モジュールをさらに備える。
【００２４】
本発明の実施例の第５の態様によれば、ネットワーク状態情報ディスプレイ装置を提供する。当該装置は、
プロセッサと、
プロセッサの実行可能な指令を記憶するためのメモリと、を備え、
前記プロセッサは、
ルーティング機器の各帯域幅占用アイテムのリアルタイムな帯域幅占用情報を取得し、
前記各帯域幅占用アイテムのリアルタイムな帯域幅占用情報に基づいて、前記ルーティング機器のネットワーク状態情報を生成し、
前記ルーティング機器のネットワーク状態情報を所定の機器に送信してディスプレイさせるように構成され、
前記帯域幅占用アイテムは、前記ルーティング機器におけるネットワークサービスと、前記ルーティング機器にアクセスされた少なくとも１つの電子機器とを含む。
【００２５】
本発明の実施例の第６の態様によれば、ネットワーク状態情報ディスプレイ装置を提供する。当該装置は、
プロセッサと、
プロセッサの実行可能な指令を記憶するためのメモリと、を備え、
前記プロセッサは、
ルーティング機器のネットワーク状態情報を受信し、
前記ルーティング機器のネットワーク状態情報をディスプレイするように構成される。
【発明の効果】
【００２６】
本発明の実施例に供される技術案は、以下の格別な作用効果を奏することができる。
【００２７】
ルーティング機器が自体の実際に占用された帯域幅を統計することにより、リアルタイムな帯域幅占用状況を表せるネットワーク状態情報を取得し、当該ネットワーク状態情報を端末に提供するため、ネットワーク状態を透明化させ、ネットユーザへのミスリードを回避する。
【００２８】
以上の一般的な記述および後述する詳細な説明は、例示的や解釈的なものであり、本発明を制限するためのものでないことは、理解されるべきである。
【図面の簡単な説明】
【００２９】
ここでの図面は、明細書を構成する一部として見なされ、本発明に適した実施例を示し、かつ、明細書の文字記載とともに本発明の仕組みを解釈するために用いられる。
【図１】本発明の一実施例によるネットワーク状態情報ディスプレイ方法を示すフローチャートである。
【図２】本発明の一実施例によるネットワーク状態情報ディスプレイ方法を示すフローチャートである。
【図３Ａ】本発明の一実施例によるネットワーク状態情報ディスプレイ方法を示すフローチャートである。
【図３Ｂ】本発明の一実施例によるネットワーク状態情報のディスプレイページを示す図である。
【図３Ｃ】本発明の一実施例によるネットワーク状態情報のディスプレイページを示す図である。
【図３Ｄ】本発明の一実施例によるネットワーク状態情報のディスプレイページを示す図である。
【図４】本発明の一実施例によるネットワーク状態情報ディスプレイ装置を示すブロック図である。
【図５】本発明の一実施例によるネットワーク状態情報ディスプレイ装置を示すブロック図である。
【図６】本発明の一実施例によるネットワーク状態情報ディスプレイ装置６００を示すブロック図である。
【図７】本発明の一実施例によるネットワーク状態情報ディスプレイ装置７００を示すブロック図である。
【発明を実施するための形態】
【００３０】
本発明の目的、技術案および利点をより明瞭になるために、以下で図面を組み合わせて、本発明の実施形態をさらに詳細に記述する。
【００３１】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００３２】
図１は、本発明の一実施例によるネットワーク状態情報ディスプレイ方法を示すフローチャートである。図１に示されたように、ネットワーク状態情報ディスプレイ方法がルーティング機器に用いられ、当該方法は以下のステップを含む。
【００３３】
ステップ１０１では、ルーティング機器の各帯域幅占用アイテムのリアルタイムな帯域幅占用情報を取得し、前記帯域幅占用アイテムが前記ルーティング機器におけるネットワークサービスと、前記ルーティング機器にアクセスされた少なくとも１つの電子機器とを含む。
【００３４】
ステップ１０２では、前記各帯域幅占用アイテムのリアルタイムな帯域幅占用情報に基づいて、前記ルーティング機器のネットワーク状態情報を生成する。
【００３５】
ステップ１０３では、前記ルーティング機器のネットワーク状態情報を所定の機器に送信してディスプレイさせる。
【００３６】
本発明の実施例に供される方法では、ルーティング機器が自体の実際に占用された帯域幅を統計することにより、リアルタイムな帯域幅占用状況を表せるネットワーク状態情報を取得し、当該ネットワーク状態情報を端末に提供するため、ネットワーク状態を透明化させ、ネットユーザへのミスリードを回避する。
【００３７】
本実施例のある好適な実施形態では、各帯域幅占用アイテムのリアルタイムな帯域幅占用情報に基づいて、前記ルーティング機器のネットワーク状態情報を生成するステップは、帯域幅占用アイテムごとに、前記帯域幅占用アイテムのリアルタイムな帯域幅占用情報の和を求めて前記帯域幅占用アイテムのネットワーク状態情報を取得するステップと、前記各帯域幅占用アイテムのネットワーク状態情報を統合して前記ルーティング機器のネットワーク状態情報を取得するステップと、を含む。
【００３８】
本実施例の別の好適な実施形態では、前記ルーティング機器の各帯域幅占用アイテムのリアルタイムな帯域幅占用情報を取得するステップは、前記ルーティング機器におけるネットワークサービスを走査して、各ネットワークサービスのリアルタイムな帯域幅情報を取得するステップと、前記ルーティング機器と前記ルーティング機器にアクセスされた少なくとも１つの電子機器との間のネットワークポートを走査して、前記少なくとも１つの電子機器のリアルタイムな帯域幅情報を取得するステップと、を含む。
【００３９】
本実施例の更なる好適な実施形態では、前記ルーティング機器の各帯域幅占用アイテムのリアルタイムな帯域幅占用情報を取得するステップは、前記所定の機器により送信されたネットワーク状態情報取得要求を受信すると、ルーティング機器の各帯域幅占用アイテムのリアルタイムな帯域幅占用情報を取得するステップ、または、予め設定された周期ごとに、ルーティング機器の各帯域幅占用アイテムのリアルタイムな帯域幅占用情報を取得するステップを含む。
【００４０】
本実施例のある好適な実施形態では、前記ルーティング機器のネットワーク状態情報を所定の機器へ送信した後に、いずれかの帯域幅占用アイテムに対する、前記帯域幅占用アイテムをオフするための調節指令を受信すると、前記帯域幅占用アイテムをオフするステップをさらに含む。
【００４１】
本実施例の別の好適な実施形態では、前記リアルタイムな帯域幅占用情報は、アップロード速度とダウンロード速度との和を示す。
【００４２】
前記全ての好ましい技術案は、任意の組み合わせにより本発明の好ましい実施例を形成することができ、ここで繰り返し説明しない。
【００４３】
図２は、本発明の一実施例によるネットワーク状態情報ディスプレイ方法を示すフローチャートである。図２に示されたように、ネットワーク状態情報ディスプレイ方法が電子機器に用いられ、以下のステップを含む。
【００４４】
ステップ２０１では、ルーティング機器のネットワーク状態情報を受信する。
【００４５】
ステップ２０２では、前記ルーティング機器のネットワーク状態情報をディスプレイする。
【００４６】
本発明の実施例に供される方法では、ルーティング機器が自体の実際に占用された帯域幅を統計することにより、リアルタイムな帯域幅占用状況を表せるネットワーク状態情報を取得し、当該ネットワーク状態情報を端末に提供するため、ネットワーク状態を透明化させ、ネットユーザへのミスリードを回避する。
【００４７】
本実施例のある好適な実施形態では、前記ルーティング機器のネットワーク状態情報をディスプレイするステップは、前記ルーティング機器のネットワーク状態情報における異なる帯域幅占用アイテムに基づいて、異なる帯域幅占用アイテムのネットワーク状態情報をそれぞれディスプレイするステップを含む。
【００４８】
本実施例の別の好適な実施形態では、前記方法は、前記ルーティング機器のネットワーク状態情報をディスプレイする際に、ネットワーク状態情報における各帯域幅占用アイテムに対する、帯域幅占用状況を調節するための調節オプションを提供するステップと、いずれかの帯域幅占用アイテムの調節オプションに対するトリガ動作を検出すると、前記トリガ動作に対応する帯域幅占用アイテムをオフするための調節指令を前記ルーティング機器へ送信するステップと、を含む。
【００４９】
本実施例の更なる好適な実施形態では、ルーティング機器のネットワーク状態情報を受信する前に、前記方法は、
ルーティング機器がネットワーク状態情報を返信するように、ネットワーク状態情報取得要求を前記ルーティング機器へ送信するステップをさらに含む。
【００５０】
前記全ての好ましい技術案は、任意の組み合わせにより本発明の好ましい実施例を形成することができ、ここで繰り返し説明しない。
【００５１】
図３Ａは、本発明の一実施例によるネットワーク状態情報ディスプレイ方法を示すフローチャートである。図３Ａに示されたように、ネットワーク状態情報ディスプレイ方法は、ルーティング機器と所定の機器とのやり取りを例として説明し、以下のステップを含む。
【００５２】
ステップ３０１では、所定の機器は、ネットワーク状態情報取得要求をルーティング機器へ送信する。
【００５３】
所定の機器は、任意のタイプの電子機器であってもよい。当該所定の機器には、ルーティング機器を制御するためのアプリケーションが設けられてもよく、ユーザは、当該アプリケーションを運行し、アプリケーションにおいて現在のネットワーク状態に対するクエリ機能をトリガーすることにより、ネットワーク状態情報取得要求をルーティング機器へ送信する。
【００５４】
ステップ３０２では、ルーティング機器は装置により送信されたネットワーク状態情報取得要求を受信する。
【００５５】
本発明の実施例では、当該所定の機器は、当該ルーティング機器にアクセスされた１つの電子機器であってもよいし、当該ルーティング機器に関連付けて当該ルーティング機器によりネットワーク接続を行わない電子機器であってもよく、本発明は、これを具体的に限定しない。
【００５６】
本発明の実施例では、所定の機器により送信されたネットワーク状態情報取得要求によりルーティング機器をトリガーしてステップ３０３を行うことのみを例として説明するが、事実には、当該プロセスは、ルーティング機器により予め設定された周期ごとに行ってもよい。このようにすれば、所定の機器の介入が必要でなくても、ネットワーク状態情報を周期的に取得することができ、これによって、ネットワーク状態を容易にモニタリングし、ネットワーク状態の異常をタイムリーに発見することもできる。
【００５７】
ステップ３０３では、ルーティング機器は、前記ルーティング機器におけるネットワークサービスを走査して、各ネットワークサービスのリアルタイムな帯域幅情報を取得する。
【００５８】
ルーティング機器にとって、ルーティング機器自体がサーバとされてもよく、ルーティング機器におけるネットワークサービスによりネットワークの動きを行い、例えば、データをダウンロードし、データをアップロードし、クラウドサーバおよび電子機器とデータの同期を行うなどができ、本発明の実施例は、これを具体的に限定しない。よって、ルーティング機器に取り付けられたネットワークサービスに対して、リアルタイムな検出を行うことで、各ネットワークサービスのリアルタイムな帯域幅情報を取得する必要がある。
【００５９】
当該リアルタイムな帯域幅情報は、１つのネットワークサービスの現在のダウンロード速度とアップロード速度との和を指してもよいし、もちろん、他の帯域幅占用状況も含んでもよく、例えば、あるネットワークに予め保留した帯域幅などである。
【００６０】
ステップ３０４では、ルーティング機器は、前記ルーティング機器と前記ルーティング機器にアクセスされた少なくとも１つの電子機器との間のネットワークポートを走査して、前記少なくとも１つの電子機器のリアルタイムな帯域幅情報を取得する。
【００６１】
ルーティング機器にとって、ルーティング機器は、他の電子機器にネットワークアクセスサービスを提供することができる。つまり、各電子機器は、ルーティング機器により提供されたネットワークポートを介してインターネット・アクセスを行うことができる。よって、ルーティング機器にアクセスされた電子機器に対して、リアルタイムな検出を行うことで、各電子機器のリアルタイムな帯域幅情報を取得する必要がある。
【００６２】
当該電子機器のリアルタイムな帯域幅情報は、電子機器の現在のダウンロード速度とアップロード速度との和を指してもよい。
【００６３】
さらに、走査時に、当該少なくとも１つの電子機器の機器情報、例えば、機器名称などを走査して得られることで、合わせて所定の機器に提供することができ、所定の機器が各電子機器の帯域幅占用状況を発見することに供される。
【００６４】
前述したステップ３０３およびステップ３０４では、ルーティング機器の各帯域幅占用アイテムのリアルタイムな帯域幅占用情報を取得するプロセスであり、ここで、ルーティング機器におけるネットワークサービスおよびルーティング機器にアクセスされた電子機器のみを帯域幅占用アイテムとして、実際の使用において、他のシステムプロセスなどがルーティング機器の帯域幅を占用することもあるので、帯域幅情報の正確性を保証するように、他の帯域幅占用の機能を帯域幅占用アイテムとして取得することができる。
【００６５】
ステップ３０５では、ルーティング機器は、前記各帯域幅占用アイテムのリアルタイムな帯域幅占用情報に基づいて、前記ルーティング機器のネットワーク状態情報を生成する。
【００６６】
例えば、当該ステップ３０４は、以下の実現形態を含んでもよい。帯域幅占用アイテムごとに、前記帯域幅占用アイテムのリアルタイムな帯域幅占用情報の和を求めて得到前記帯域幅占用アイテムのネットワーク状態情報を取得し、前記各帯域幅占用アイテムのネットワーク状態情報を統合して前記ルーティング機器のネットワーク状態情報を取得する。
【００６７】
リアルタイムな帯域幅占用情報は、当該帯域幅占用アイテムの異なる機能、例えば、帯域幅に対するアップロードまたはダウンロードの占用を表すので、帯域幅占用アイテムの帯域幅を得るように、帯域幅占用アイテム毎のリアルタイムな帯域幅占用情報に対して、和を求める必要がある。例えば、データ伝送機能にとって、当該データ伝送機能のリアルタイムなアップロード速度は、１Ｍ/ｓであり、リアルタイムなダウンロード速度は、２Ｍ/ｓである場合、当該データ伝送機能にとって、そのネットワーク状態情報は３Ｍ/ｓである。
【００６８】
当該前記各帯域幅占用アイテムのネットワーク状態情報を統合して前記ルーティング機器のネットワーク状態情報を取得するプロセスは、帯域幅占用アイテムとネットワーク状態情報との対応関係リストを生成するプロセスであってもよい。
【００６９】
もちろん、当該プロセスは、リストページを生成するプロセスであってもよい。つまり、帯域幅占用アイテムとネットワーク状態情報との対応関係リストを含むページを生成し、当該ページは、単一ページで表示されてもよいし、または、ページ分割表示されてもよく、その表示態様は、後のステップ３０８で詳細に記述する。
【００７０】
ステップ３０６では、ルーティング機器は、前記ルーティング機器のネットワーク状態情報を所定の機器へ送信する。
【００７１】
ステップ３０７では、所定の機器は、当該ルーティング機器のネットワーク状態情報を受信する。
【００７２】
前記ステップ３０６およびステップ３０７では、ルーティング機器と所定の機器との間のネットワーク状態情報の伝達を完成する。
【００７３】
説明すべきことは、当該送受信が、所定の機器とルーティング機器との間の任意のタイプのネットワーク接続、例えば、ＮＦＣ、ＢＴ（ブルートゥース（登録商標））またはＷｉｆｉなどに基くことができ、本発明は、これを限定しない。
【００７４】
ステップ３０８では、所定の機器は、前記ルーティング機器のネットワーク状態情報をディスプレイする。
【００７５】
当該ディスプレイプロセスは、単一ページで表示されてもよいし、または、ページ分割表示されてもよい。単一ページ表示とは、１つのページに各帯域幅占用アイテムおよびネットワーク状態情報をディスプレイする。
【００７６】
例えば、現在で得られた帯域幅占用アイテムとネットワーク状態情報は、それぞれ以下の通りである。
【００７７】
ネットワークサービスＡ、ネットワーク状態情報３Ｍ/ｓ。
【００７８】
ネットワークサービスＢ、ネットワーク状態情報１Ｍ/ｓ。
【００７９】
ネットワークサービスＣ、ネットワーク状態情報１.５Ｍ/ｓ。
【００８０】
電子機器Ｄ１、ネットワーク状態情報１Ｍ/ｓ。
【００８１】
電子機器Ｄ２、ネットワーク状態情報３Ｍ/ｓ。
【００８２】
電子機器Ｄ３、ネットワーク状態情報２Ｍ/ｓ。
【００８３】
前記内容に対して、当該対応関係リストを含むページを生成することができ、例えば、図３Ｂに示された通りである。
【００８４】
ページ分割表示とは、まず、異なるタイプの帯域幅占用アイテムおよび各タイプの帯域幅占用アイテムに対応するネットワーク状態情報の和を表示し、あるタイプの帯域幅占用アイテムに対するユーザのトリガー動作を検出した場合、当該タイプでの帯域幅占用アイテムおよびネットワーク状態情報をディスプレイする。異なるタイプとは、ネットワークサービス・クラスまたは電子機器・クラスを指してもよい。
【００８５】
依然として前述した例を基に、ページ分割表示のページは図３Ｃおよび図３Ｄに示された通りである。タイプＴ１に対するユーザのトリガー動作を検出した場合、当該タイプＴ１での各帯域幅占用アイテムおよびネットワーク状態情報をディスプレイすることができる。
【００８６】
前記プロセスは、所定の機器上においてネットワーク状態情報の表示を実現することで、現在のルーティング機器の実際の帯域幅占用状況を直観的にビューすることができ、透明性が高くなる。さらに、フレキシブルな制御方式をユーザに提供するために、当該方法は以下のステップ３０９〜３１１をさらに含むことができる。
【００８７】
ステップ３０９では、所定の機器は、前記ルーティング機器のネットワーク状態情報をディスプレイする際に、ネットワーク状態情報における各帯域幅占用アイテムに対する、帯域幅占用状況を調節するための調節オプションを提供する。
【００８８】
ステップ３１０では、いずれかの帯域幅占用アイテムの調節オプションに対するトリガ動作を検出すると、前記トリガ動作に対応する帯域幅占用アイテムをオフするための調節指令を前記ルーティング機器へ送信する。
【００８９】
前記ページには、各帯域幅占用アイテムに対する、調節オプションが含まれてもよい。例えば、図３Ｂにおける調節オプションに示されたように、ルーティング機器を制御するコンピテンスを有する所定の機器にとって、ある帯域幅占用アイテムをオフすることで、自体の現在のネットワーク使用ニーズを満たすことができ、もちろん、当該オフとは、あるネットワークサービスをオフすることを指すだけでなく、あるネットワークポートと電子機器との間の接続をオフするなども指してもよい。
【００９０】
ステップ３１１では、ルーティング機器は、帯域幅占用アイテムに対する調節指令を受信し、前記帯域幅占用アイテムをオフする。
【００９１】
ルーティング機器は、帯域幅占用アイテムに対する調節指令を受信した場合、自体に設けられたオフ方式により、当該帯域幅占用アイテムをオフすることができる。
【００９２】
説明すべきことは、当該自体に設けられたオフ方式とは、一時オフを指してもよい。つまり、オフされたネットワークサービスに対して、当該ネットワークサービスは、所定の機器の指示のもとで、そのネットワーク機能を復元することができ、本発明は、これを具体的に限定しない。もちろん、当該自体に設けられたオフ方式とは、優先順位を下げるなどの方式を指してもよく、本発明は、これを具体的に限定しない。
【００９３】
図４は、本発明の一実施例によるネットワーク状態情報ディスプレイ装置を示すブロック図である。図４を参照すると、当該装置は、
ルーティング機器の各帯域幅占用アイテムのリアルタイムな帯域幅占用情報を取得する取得モジュール４０１と、
前記取得モジュール４０１により取得された各帯域幅占用アイテムのリアルタイムな帯域幅占用情報に基づいて、前記ルーティング機器のネットワーク状態情報を生成する生成モジュール４０２と、
前記生成モジュール４０２により生成された前記ルーティング機器のネットワーク状態情報を所定の機器に送信してディスプレイさせる送信モジュール４０３と、を備え、
前記帯域幅占用アイテムは、前記ルーティング機器におけるネットワークサービスと、前記ルーティング機器にアクセスされた少なくとも１つの電子機器とを含む。
【００９４】
本実施例のある好適な実施形態では、前記生成モジュール４０２は、帯域幅占用アイテムごとに、前記帯域幅占用アイテムのリアルタイムな帯域幅占用情報の和を求めて得到前記帯域幅占用アイテムのネットワーク状態情報を取得し、前記各帯域幅占用アイテムのネットワーク状態情報を統合して前記ルーティング機器のネットワーク状態情報を取得する。
【００９５】
本実施例の別の好適な実施形態では、前記取得モジュール４０１は、前記ルーティング機器におけるネットワークサービスを走査して、各ネットワークサービスのリアルタイムな帯域幅情報を取得し、前記ルーティング機器と前記ルーティング機器にアクセスされた少なくとも１つの電子機器との間のネットワークポートを走査して、前記少なくとも１つの電子機器のリアルタイムな帯域幅情報を取得する。
【００９６】
本実施例の更なる好適な実施形態では、前記取得モジュール４０１は、前記所定の機器により送信されたネットワーク状態情報取得要求を受信すると、ルーティング機器の各帯域幅占用アイテムのリアルタイムな帯域幅占用情報を取得し、または、予め設定された周期ごとに、ルーティング機器の各帯域幅占用アイテムのリアルタイムな帯域幅占用情報を取得する。
【００９７】
本実施例のある好適な実施形態では、前記装置は、いずれかの帯域幅占用アイテムに対する、前記帯域幅占用アイテムをオフするための調節指令を受信すると、前記帯域幅占用アイテムをオフする処理モジュールをさらに備える。
【００９８】
本実施例の別の好適な実施形態では、前記リアルタイムな帯域幅占用情報は、アップロード速度とダウンロード速度との和を示す。
【００９９】
図５は、本発明の一実施例によるネットワーク状態情報ディスプレイ装置を示すブロック図である。図５を参照すると、ネットワーク状態情報ディスプレイ装置は、
ルーティング機器のネットワーク状態情報を受信する受信モジュール５０１と、
前記受信モジュール５０１により受信された前記ルーティング機器のネットワーク状態情報をディスプレイするディスプレイモジュール５０２と、を備える。
【０１００】
本実施例のある好適な実施形態では、前記ディスプレイモジュール５０２は、前記ルーティング機器のネットワーク状態情報における異なる帯域幅占用アイテムに基づいて、異なる帯域幅占用アイテムのネットワーク状態情報をそれぞれディスプレイする。
【０１０１】
本実施例の別の好適な実施形態では、前記装置は、
前記受信モジュールにより受信された前記ルーティング機器のネットワーク状態情報をディスプレイする際に、ネットワーク状態情報における各帯域幅占用アイテムに対する、帯域幅占用状況を調節するための調節オプションを提供する提供モジュールと、
前記提供モジュールにより提供されたいずれかの帯域幅占用アイテムの調節オプションに対するトリガ動作を検出すると、前記トリガ動作に対応する帯域幅占用アイテムをオフするための調節指令を前記ルーティング機器へ送信する第１の送信モジュールと、をさらに備える。
【０１０２】
本実施例の更なる好適な実施形態では、前記装置は、
ルーティング機器がネットワーク状態情報を返信するように、ネットワーク状態情報取得要求を前記ルーティング機器へ送信する第２の送信モジュールをさらに備える。
【０１０３】
前記実施例における装置について、各モジュールにより操作を実行する形態は、当該方法に関する実施例において詳細に記述したので、ここで詳細に説明しない。
【０１０４】
図６は、本発明の一実施例によるネットワーク状態情報ディスプレイ装置６００を示すブロック図である。例えば、装置６００は、携帯電話、コンピュータ、デジタル放送端末、情報受送信装置、ゲーム機、タブレット装置、医療機器、フィットネス機器、パーソナル・ディジタル・アシスタントなどであってもよい。
【０１０５】
図６を参照すると、装置６００は、処理ユニット６０２、メモリ６０４、電源ユニット６０６、マルチメディアユニット６０８、オーディオユニット６１０、入力／出力（Ｉ／Ｏ）インターフェース６１２、センサユニット６１４、および、通信ユニット６１６のうちの１つまたは複数を含んでもよい。
【０１０６】
処理ユニット６０２は、通常は、表示、電話発呼、データ通信、カメラ操作および記録操作に関連する操作のような、装置６００の全般操作を制御する。処理ユニット６０２は、前述方法の全部または一部のステップを実施させるように、指令を実行するための１つまたは複数のプロセッサ６２０を含んでもよい。また、処理ユニット６０２は、処理ユニット６０２と他のユニットとの間の相互作用を容易にするように、１つ又は複数のモジュールを含んでもよい。例えば、処理ユニット６０２は、マルチメディアユニット６０８と処理ユニット６０２との間の相互作用を容易にするように、マルチメディアモジュールを含んでもよい。
【０１０７】
メモリ６０４は、各タイプのデータを記憶して装置６００での操作をサポートするように構成される。これらのデータの例示は、装置６００で操作するための任意のアプリケーションもしくは方法の指令、連絡先データ、電話帳データ、メッセージ、ピクチャ、ビデオなどを含む。メモリ６０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【０１０８】
電源ユニット６０６は、装置６００のユニットのそれぞれに電力を供給する。電源ユニット６０６は、電源管理システム、１つまたは複数の電源、並びに、装置６００用の電力を生成、管理および配分するに関する他のユニットを含んでもよい。
【０１０９】
マルチメディアユニット６０８は、前記装置６００とユーザとの間に１つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、ディスプレイスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット６０８は、１つのフロントカメラおよび/またはバックカメラを含む。装置６００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１１０】
オーディオユニット６１０は、オーディオ信号を出力および/または入力するように構成される。例えば、オーディオユニット６１０は、マイク（ＭＩＣ）を備え、装置６００が操作モード、例えば、発呼モード、記録モードおよび音声識別モードであるとき、マイクは、外部オーディオ信号を受信するように構成される。受信されたオーディオ信号は、さらに、メモリ６０４に格納される、または、通信ユニット６１６を介して送信されることができる。
【０１１１】
Ｉ/Ｏインターフェース６１２は、処理ユニット６０２とペリフェラルインターフェースモジュールとの間でインターフェースを供給するものであり、前記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【０１１２】
センサユニット６１４は、様々な側面での状態推定を装置６００に供給するための１つまたは複数のセンサを含む。例えば、センサユニット６１４は、装置６００のオン/オフ状態、ユニットの相対位置を検出することができ、ユニットは、例えば、装置６００のディスプレイおよびキーパッドである。センサユニット６１４は、さらに、装置６００もしくは装置６００の１つのユニットの位置変更、ユーザと装置６００との接触の存在もしくは非存在、装置６００の方位もしくは加速/減速および装置６００の温度変化をさらに検出することができる。センサユニット６１４は、如何なる物理的接触もないとき、近辺にある物体の存在を検出するための近接センサを含んでもよい。センサユニット６１４は、さらに、イメージングアプリケーションに使用される光センサ、例えばＣＭＯＳまたはＣＣＤ画像センサを含んでもよい。一部の実施例では、当該センサユニット６１４は、さらに、加速度センサ、ジャイロセンサ、磁気センサ、圧力センサ、または温度センサを含んでもよい。
【０１１３】
通信ユニット６１６は、装置６００と他の機器間の無線または有線方式の通信ができるように構成される。装置６００は、通信規格に基づく無線ネットワーク、例えば、ＷｉＦｉ、２Ｇもしくは３Ｇなどの通信規格、またはそれらの組合せに基づく無線ネットワークにアクセスすることができる。一部の実施例では、通信ユニット６１６は、外部ブロードキャスト管理システムからのブロードキャスト信号またはブロードキャスト関連情報をブロードキャストチャネルを介して受信する。一部の実施例では、前記通信ユニット６１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【０１１４】
実施例では、装置６００は、前記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１１５】
実施例では、指令を含む非一時的コンピュータ読み取り可能な記憶媒体、例えば、指令を含むメモリ６０４をさらに提供し、前記指令が装置６００のプロセッサ６２０によって実行されることで前記方法を実施させることができる。例えば、前記非一時的コンピュータ読み取り可能な記憶媒体は、ＲＯＭ、ランダムアクセスメモリ（ＲＡＭ）、ＣＤ−ＲＯＭ、磁気テープ、フロッピーディスクおよび光データ記憶機器などであってもよい。
【０１１６】
実施例では、非一時的コンピュータ読み取り可能な記憶媒体をさらに提供し、前記記憶媒体における指令が移動端末のプロセッサにより実行される場合、移動端末は、前述した図２または図３における電子機器により実行されたネットワーク状態情報を実行可能となる。
【０１１７】
図７は、本発明の一実施例によるネットワーク状態情報ディスプレイ装置７００を示すブロック図である。例えば、装置７００はルータとして提供されることができる。図７を参照すると、装置７００は、１つまたは複数のプロセッサをさらに備える処理ユニット７２２と、処理ユニット７２２により実行可能な指令を記憶するための、メモリ７３２により代表されたたメモリリソース、例えば、アプリケーションとを含む。メモリ７３２に記憶されたアプリケーションは、１セットの指令に対応するモジュールを１つ以上含んでもよい。また、処理ユニット７２２は、指令を実行することで、前述した図１または図３においてルーティング機器により実行されたネットワーク状態情報ディスプレイ方法を実行するように構成される。
【０１１８】
装置７００は、装置７００の電源管理を実行するように構成された電源ユニット７２６と、装置７００をネットワークに接続するように配置された有線または無線ネットワークインターフェース７５０と、入力／出力（Ｉ／Ｏ）インターフェース７５８とを含んでもよい。装置７００は、メモリ７３２に記憶されたオペレーティングシステム、例えば、Ｗｉｎｄｏｗｓ（登録商標） ＳｅｒｖｅｒＴＭ，Ｍａｃ ＯＳ ＸＴＭ，Ｕｎｉｘ（登録商標）ＴＭ, Ｌｉｎｕｘ（登録商標）ＴＭ，ＦｒｅｅＢＳＤＴＭまたは類似したものを操作することができる。
【０１１９】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【０１２０】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
本発明は、出願番号がＣＮ２０１５１０８４６０５７.８であり、出願日が２０１５年１１月２７日である中国特許出願に基づいて優先権を主張する。当該中国特許出願の全ての内容は、ここに参考として引用される。
【図１】
2018503271.tif 000003
【図２】
2018503271.tif 000004
【図３Ａ】
2018503271.tif 000005
【図３Ｂ】
2018503271.tif 000006
【図３Ｃ】
2018503271.tif 000007
【図３Ｄ】
2018503271.tif 000008
【図４】
2018503271.tif 000009
【図５】
2018503271.tif 000010
【図６】
2018503271.tif 000011
【図７】
2018503271.tif 000012
【国際調査報告】
2018503271.tif 000013
2018503271.tif 000014
2018503271.tif 000015
2018503271.tif 000016